(57)【要約】  【課題】背を後傾動作可能に構成するとともに、背座を関連させて動作させるようにする構成を、種々の態様の椅子で、特別な付勢機構を設けることなく非常に簡単な構成で実現させる。  【解決手段】椅子本体１と、この椅子本体１の上方に設けた左右１対の背凭れ支持フレーム２、２と、この背凭れ支持フレーム２、２に左右両側を後傾可能に支持させてなる背凭れ３と、この背凭れ３に後端部を上下動可能に吊持させてなる座４とを具備する椅子Ｃにおいて、前記背凭れ支持フレーム２、２を、着座者の荷重を受けて弾性変形可能に構成する。  【選択図】図７
2008113937.tif 000002
【特許請求の範囲】
【請求項１】
椅子本体と、この椅子本体の上方に設けた左右１対の背凭れ支持フレームと、この背凭れ支持フレームに左右両側を後傾可能に支持させてなる背凭れと、この背凭れに後端部を上下動可能に吊持させてなる座とを具備するものであって、前記背凭れ支持フレームが、着座者の荷重を受けて弾性変形可能であることを特徴とする椅子。
【請求項２】
前記背凭れ支持フレームに対して背凭れを挿脱可能にしていることを特徴とする請求項１記載の椅子。
【請求項３】
前記背凭れ支持フレームが、前記椅子本体から起立する起立部と、この起立部の先端から後方に延伸させて設けた肘当て部とを有し、この肘当て部に背凭れを装着するようにしていることを特徴とする請求項１又は２記載の椅子。
【請求項４】
前記椅子本体が、床面から前上方に延伸する左右１対の後脚と、前記後脚の上端から前方に延伸させて設けてなる側フレームと、前記側フレームの前端に接続する前脚とを具備することを特徴とする請求項１、２又は３記載の椅子。
【請求項５】
前記椅子本体の後脚と、前記背凭れ支持フレームとを一体に形成していることを特徴とする請求項４記載の椅子。
【請求項６】
前記座の前端近傍に設定した載置部位を椅子本体に載置可能であるとともに、座の該載置部位より後方の部位と椅子本体との間に隙間を設けていることを特徴とする請求項１、２、３、４又は５記載の椅子。
【請求項７】
前記椅子本体の側フレームが、後下方から前上方に向かう傾斜を有するとともに、前記座を前記側フレームの前端部間に横架させて設けた横架材に載置させてなることを特徴とする請求項６記載の椅子。
【請求項８】
前記椅子本体に、座を前後方向に移動可能に支持させていることを特徴とする請求項１、２、３、４、５、６又は７記載の椅子。
【請求項９】
前記座が、座面を有する座本体と、この座本体の後端の左右隅部から起立させているとともに先端を前記背凭れの下端に枢着している左右一対の接合部とを具備することを特徴とする請求項１、２、３、４、５、６、７又は８記載の椅子。
【発明の詳細な説明】
【技術分野】
【０００１】
本発明は、背凭れを後傾させることが可能な椅子に関する。
【背景技術】
【０００２】
近年、椅子同士を収納のために相互に前後方向から接近させて重合させるいわゆる水平スタッキングを行うことができる椅子が提案されている。この種の椅子として、座を床面に対して略垂直な起立位置に移動させた状態で重合させる構成を採用したものが広く知られている（例えば、特許文献１を参照）。
【特許文献１】特開２００６−１５８７４５号公報
【発明の開示】
【発明が解決しようとする課題】
【０００３】
ところで、前記特許文献１記載の構成の椅子では、背凭れを椅子本体と一体に形成しているとともに、座を椅子本体と背凭れとの境界部に形成したフレーム軸により枢支している。しかして、このような椅子であっても、背を後傾動作可能に構成するとともに、背座を関連させて動作させるようにする要望が存在する。ところが、前記特許文献１記載の構成では、背及び座はあくまで個別に椅子本体に支持させていて、座の回動中心と背凭れの下端とを同一の高さ位置としているので、仮に背凭れを後傾動作可能にしても、座をこの背凭れの後傾動作に関連して動作可能にすることは困難である。一方、事務用回転椅子として周知のものであって、背を後傾動作可能に構成するとともに、背座を関連させて動作させるようにする構成のものでは、背凭れを１本の背支桿により支持させる態様のものが広く知られているが、このような構成のものでは背凭れを支持させるべくある程度の剛性を背支桿に与える必要があり、また、背凭れの後傾動作に抗して背凭れに反力を付与するためには、付勢機構を別途設け、背支桿に接続する必要がある。すなわち、このように背座を関連させて動作させるとともに背凭れの後傾動作に抗して背凭れに反力を付与できる椅子は、構成がやや複雑なものとなる。
【０００４】
本発明は、以上に述べた課題を解決すべく構成するものである。
【課題を解決するための手段】
【０００５】
すなわち本発明に係る椅子は、椅子本体と、この椅子本体の上方に設けた左右１対の背凭れ支持フレームと、この背凭れ支持フレームに左右両側を後傾可能に支持させてなる背凭れと、この背凭れに後端部を上下動可能に吊持させてなる座とを具備するものであって、前記背凭れ支持フレームが、着座者の荷重を受けて弾性変形可能であることを特徴とする。
【０００６】
このようなものであれば、背凭れ支持フレームに背凭れの左右両側を後傾可能に支持させていて、この背凭れ支持フレームは着座者の荷重を受けて弾性変形可能であるので、着座者の荷重により背凭れを後傾させた際に背凭れ支持フレームの弾性力を反力として利用できる。その上で、この背凭れに座の後端部を上下動可能に吊持させているので、背の後傾動作の際に背座を一体的に移動させることができ、さらに、左右の背凭れ支持フレームに背凭れの左右両側を支持させているので、１本の背支桿により背凭れを支持させる態様と比較して、背凭れ支持フレームを細いものにできる。従って、特別な付勢機構を設けることなく非常に簡単な構成でこのような椅子を実現できる。
【０００７】
幅広い使用態様に対応できるようにするための態様として、前記背凭れ支持フレームに対して背凭れを挿脱可能にしているものが挙げられる。このようなものであれば、背凭れ支持フレームに対して種々の形状を有する背凭れを装着可能にする、例えばヘッドレストを有する背凭れや、ヘッドレストを有しない背凭れを選択的に装着可能にすることができるからである。
【０００８】
簡単な構成でこのような効果を好適に得るための前記背凭れ支持フレームの構成の一例として、前記背凭れ支持フレームが、前記椅子本体から起立する起立部と、この起立部の先端から後方に延伸させて設けた肘当て部とを有し、この肘当て部に背凭れを装着するようにしているものが挙げられる。このようなものであれば、肘当て部に背凭れから荷重を受けさせ、この背凭れ支持フレームの基端すなわち椅子本体との接合部位を支点として、この背凭れ支持フレームを弾性変形させるようにできるからである。
【０００９】
また、上述したように背凭れに座の後端部を上下動可能に吊持させている椅子であって、前記椅子本体が、床面から前上方に延伸する左右１対の後脚と、前記後脚の上端から前方に延伸させて設けてなる側フレームと、前記側フレームの前端に接続する前脚とを具備するとともに、左右両側の前記後脚又は側フレームから前記背凭れ支持フレームを起立させているものであれば、４本脚の椅子において背の後傾動作の際に背座を一体的に移動させる構成を実現できる。
【００１０】
前段で述べたような４本脚の椅子において背の後傾動作の際に背座を一体的に移動させる構成を、少ない部品点数で実現し、さらにこのような椅子の剛性の確保できる態様として、前記椅子本体の後脚と、前記背凭れ支持フレームとを一体に形成しているものが挙げられる。
【００１１】
このような椅子の座り心地をさらによくするための構成として、前記座の前端部に設定した載置部位を椅子本体に載置可能であるとともに、座の該載置部位より後方の部位と椅子本体との間に隙間を設けているものが挙げられる。このようなものであれば、座の後部の下方に隙間が存在するので、背のたれの後傾に連動する座の上下動の範囲を大きくとることができるからである。
【００１２】
このような椅子の座をより安定して椅子本体に支持させるための態様として、前記椅子本体の側フレームが、後下方から前上方に向かう傾斜を有するとともに、前記座を前記側フレームの前端部間に横架させて設けた横架材に載置させてなるものが挙げられる。
【００１３】
特に、座を横架材に載置した状態で座を前後方向に移動可能に構成しているものであれば、背凭れの後傾動作に連動させて、座の後端部を下降させつつ座を後方にスライドさせる態様を実現でき、このような椅子の座り心地をさらに向上させることができる。
【００１４】
そして、座を背凭れに吊持させるための構成の一例として、前記座が、座面を有する座本体と、この座本体の後端の左右隅部から起立させているとともに先端を前記背凭れの下端に枢着している左右一対の接合部とを具備するものが挙げられる。
【発明の効果】
【００１５】
本発明に係る椅子によれば、背凭れ支持フレームに背凭れを後傾可能に支持させていて、この背凭れ支持フレームは着座者の荷重を受けて弾性変形可能であるので、着座者の荷重により背凭れを後傾させた際に背凭れ支持フレームの弾性復原力を反力として利用できる。その上で、この背凭れに座の後端部を上下動可能に吊持させているので、背の後傾動作の際に背座を一体的に移動させることができ、さらに、左右の背凭れ支持フレームに背凭れの左右両側を支持させているので、１本の背支桿により背凭れを支持させる態様と比較して、背凭れ支持フレームを細いものにできる。従って、特別な付勢機構を設けることなく非常に簡単な構成で背の後傾動作の際に背座を一体的に移動させることができる椅子を実現できる。
【発明を実施するための最良の形態】
【００１６】
以下、本発明の一実施形態を、図面を参照して説明する。
【００１７】
本実施形態に係る椅子Ｃは、図１ないし図５に示すように、椅子本体１と、この椅子本体の上方に設けた左右１対の背凭れ支持フレーム２と、この背凭れ支持フレーム２に支持させてなる背凭れ３と、この背凭れ３に座吊持機構Ｊを介して後端部を吊持させてなるとともに床面に対して略水平な使用位置Ｕと床面に対して略垂直な起立位置Ｓとの間で回動可能な座４とを具備する。そして、前記座４を起立位置Ｓに配した状態で、図６に示すように、同一構造の椅子Ｃを前後方向にスタッキングすることが可能に構成している。なお、前記図１にはこの椅子Ｃの座４を使用位置Ｕに配した状態の全体斜視図、前記図２にはこの椅子Ｃの座４を起立位置Ｓに配した状態の全体斜視図、前記図３にはこの椅子Ｃの側面図、前記図４にはこの椅子Ｃの分解斜視図、前記図５には前記椅子本体１及び背凭れ支持フレーム２を前斜め上方から見た状態を示す図をそれぞれ示している。
【００１８】
具体的には、前記椅子本体１は、前記図２及び図５に主に示すように、左右一対の後脚１１、１１と、この後脚１１から前方にそれぞれ延伸する左右一対の側フレーム１２、１２と、左右の側フレーム１２、１２の奥行き方向中間部間に横架させて設けた後横架材１３と、左右の側フレーム１２、１２の前端部間に横架させて設けた前横架材１４と、前記側フレーム１２、１２の前端に接続する前脚１５、１５とを有する。また、後脚１１、１１及び前脚１５、１５の下端には、それぞれキャスタ１６を設けている。
【００１９】
さらに詳述すると、前記後脚１１は、床面から前上方に起立し、主に背凭れ３が受ける荷重を支持する。
【００２０】
前記側フレーム１２は、上述したように前記後脚１１の上端から前方に延伸しているとともに、前端に向かうにつれ上方に向かう傾斜を有する。また、左右の側フレーム１２、１２間の距離、すなわち椅子本体１の幅寸法は、前記図５に示すように、後脚１１、１１、側フレーム１２、１２、及び前脚１５、１５により区成される空間ＳＰ内に他の椅子２の側フレーム１２、１２及び前脚１５を配して水平スタッキングさせることができるようにすべく、後方から前方に向かうにつれ漸次減少させている。
【００２１】
前記後横架材１３は、上述したように左右の側フレーム１２、１２の奥行き方向中間部間に横架させて設けたものであって、スタッキング時には、後横架材１３と側フレーム１２との境界部、具体的にはこの後横架材１３の後部１３ａの両側縁と前記側フレーム１２とに跨る部位を後方に位置する椅子Ｃの前脚１５に当接させてなる当接部Ｔとしている。そして、前記当接部Ｔを、カバー部材１３１により被覆するようにしている。
【００２２】
前記前横架材１４は、上述したように左右の側フレーム１２、１２の前端部間に横架させて設けたものであって、座４を使用位置Ｕに配した際に、この前横架材１４及び前記側フレーム１２、１２の前端部が座４の前部の荷重を受ける。
【００２３】
前記前脚１５は、上述したように前記側フレーム１２の上端から垂下しているとともに、スタッキング時にはこの前脚１５の上部を前記後横架材１３の前記当接部Ｔに当接させて椅子間の位置決めを行うようにしている。そして、前記側フレーム１２は前端に向かうにつれ上方に向かう傾斜を有し、前記後横架材はこの側フレームの奥行き方向中幹部間に横架させて設けているので、この前脚１５に当接される前記後横架材１３の後部１３ａは、この前脚１５の上端１５ａよりも下方に位置する。さらに、この前脚１５の上端１５ａ及びその近傍はカバー部材１５１により被覆させていて、このカバー部材１５１が優先して前記後横架材１３の後部１３ａに当接するようにしている。また、この前脚１５と前記側フレーム１２は、本実施形態では同一の金属パイプを利用して形成した前フレーム部材Ｆ１を利用して一体に形成している。すなわち、この前フレーム部材Ｆ１のうち、床面から起立する部位が前脚１５、後フレーム部との接合箇所から前脚１５の上端１５ａに至る部位が側フレーム１２として機能する。
【００２４】
前記背凭れ支持フレーム２は、本実施形態では、前記図２及び図５に主に示すように、後脚１１と同一の金属パイプである後フレーム部材Ｆ２を利用して一体に形成している。すなわち、前記後フレーム部材Ｆ２のうち、前記側フレーム１２との接合箇所より下方を後脚１１、上方が弾性フレーム部３としている。また、この背凭れ支持フレーム２は、前記後脚１１の上端から延設してなりこの後脚１１と同一方向に延伸する起立部２１と、この起立部の上端から後方に延伸し肘当てとしての機能を有する肘当て部２２とを有する。この肘当て部２２には、背凭れ３を挿脱可能である。また、この背凭れ支持フレーム２は、図７に示すように、背凭れ３から肘当て部２２に作用する荷重を受けて弾性変形が可能である。なお、図７の実線にはこの椅子Ｃが荷重を受けた状態の側面図、同図の想像線にはこの椅子Ｃが荷重を受けていない状態の側面図をそれぞれ示している。
【００２５】
前記背凭れ３は、前記前記図１、図３、及び図４に示すように、背凭れ面３ａを有する背凭れ本体３１と、この背凭れ本体３１の左右両側縁部から延伸する装着部３２とを有する。この背凭れ３は、背凭れ保持機構Ｈを介して背凭れ支持フレーム２に着脱可能かつ挿脱可能に支持させている。具体的には、この背凭れ保持機構Ｈは、前記装着部３２を前記背凭れ支持フレーム２（肘当て部２２）に挿脱可能に支持させてなるものである。前記装着部３２は、本実施形態では前記肘当て部２２を挿入可能な筒状に構成している。前記背凭れ面３ａは、本実施形態では前上方に向いていて、この背凭れ面３ａが受ける荷重を背凭れ支持フレーム２に作用させた際に、前記図７に示すように、該背凭れ支持フレーム２の弾性変形に追随してこの背凭れ３が後傾するようにしている。
【００２６】
前記座４は、上述したように、背凭れ３に座吊持機構Ｊを介して後端部を吊持させてなるとともに、床面に対して略水平な使用位置Ｕと床面に対して略垂直な起立位置Ｓとの間で回動可能である。さらに詳述すると、この座４は、座面４ａを有する座本体４１と、この座本体の後端部の両側縁から起立させて設けた左右１対の接合部４２とを有する。前記座本体４１は、さらにクッション４１１と、このクッション４１１の下方に設けてなるシェル４１２とを備えていて、使用位置Ｕに配した際に後端部の前後方向位置が背凭れ３の背凭れ面近傍に達している。一方、前記接合部４２は、基端部を前記シェル４１２に接続していて、先端部を背凭れ３の下端に水平方向に延伸する軸心周りに回動可能に枢着している。すなわち、具体的には、背凭れ本体３１の下端の両側端に設けた座枢着部３１ｘにこの接合部４２の先端部を枢着している。すなわち、これら座枢着部３１ｘ及び接合部４２により座吊持機構Ｊを形成している。また、この接合部４２は、起立位置Ｓでの背凭れ３の下端部との干渉を防ぐべく、使用位置Ｕに配した際に後方に膨出する形状、すなわち起立位置Ｓにおいて下方に膨出する形状を有する。そして、この座４を使用位置Ｕに配した状態で、この座の後部と側フレーム１２との間に隙間ＳＰ２を設けるようにしている。
【００２７】
この椅子Ｃに着座者が着座すると、荷重はまず座４に加えられる。それから、座４に加えられた荷重の一部は、前記座吊持機構Ｊを介して背凭れ３に伝達され、さらに背凭れ３の装着部３２と背凭れ支持フレーム２の肘当て部２２との接合部分を介して背凭れ支持フレーム２に伝達させる。すると、前記図７に示すように、この背凭れ支持フレーム２が弾性変形して着座時の衝撃を吸収する。また、この背凭れ支持フレーム２の弾性変形により前記肘当て部２２は後下方に移動する。これに伴い、背凭れ３が前記肘当て部２２に追随して全体として後下方に移動しつつ、背凭れ３が後傾動作を行う。そして、座４は、上述したように前記座吊持機構Ｊを介して背凭れ３に吊持させていて、その後端部と椅子本体１（側フレーム１２）との間に隙間ＳＰ２が存在するので、座４の後端部は背凭れ３の後傾動作に追随して下降する。加えて、この座４の前端部は椅子本体１に対してスライド可能であるので、座４は前述した後端部の下降動作と同時に後方へのスライド動作も行う。
【００２８】
一方、この椅子Ｃを収納する際には、まず、上述したように座４を起立位置Ｓに移動させた後、後方から同一構造を有する他の椅子Ｃに接近させる。それから、前記図６、及び要部の中央側断面図である図８に示すように、接近される側の椅子Ｃ、すなわち前方側に位置する椅子Ｃの前記当接部Ｔに、後方側に位置する椅子の前脚１５を当接させ、前後に隣接させる椅子Ｃ、Ｃ間の位置決めを行う。そして、以上の操作を繰り返して、椅子Ｃのスタッキング収納を行う。その際、前記当接部Ｔは前脚１５の上端１５ａよりも下方に位置しているので、この椅子Ｃを収納する領域の床面に不陸が存在して後方側に位置する椅子Ｃの前脚１５の上端１５ａが前方側に位置する椅子Ｃの前脚１５の上端１５ａよりも下方に位置する場合であっても、これらの間の高さ位置の差が前脚１５の上端１５ａと後横架材１３の下端との間の高さ位置の差よりも小さければ、前脚１５を前記当接部Ｔに当接させることができる。
【００２９】
本実施形態に係る椅子Ｃの構成によれば、以上に述べたように、背凭れ支持フレーム２に背凭れ３の左右両側を後傾可能に支持させていて、この背凭れ支持フレーム２は着座者の荷重を受けて弾性変形可能であるので、着座者の荷重により背凭れ３を後傾させた際に背凭れ支持フレーム２の弾性力を反力として利用できるとともに、弾性変形により着座時の衝撃を吸収することができる。その上で、この背凭れ３に座４の後端部を上下動可能に吊持させているので、背凭れ４の後傾動作の際に背凭れ４と座３とを一体的に移動させることができ、さらに、左右の背凭れ支持フレーム２に背凭れ３の左右両側を支持させているので、１本の背支桿により背凭れを支持させる態様と比較して、背凭れ支持フレーム２を細いものにできる。
【００３０】
また、前記背凭れ支持フレーム２に対して背凭れ３を挿脱可能にしているので、椅子本体１及び背凭れ支持フレーム２に対して種々の形状を有する背凭れ３、例えば図示はしないがヘッドレストを有する背凭れ３等を装着可能であり、幅広い使用態様に対応できる。
【００３１】
さらに、前記背凭れ支持フレーム２が、前記椅子本体１から起立する起立部２１と、この起立部２１の先端から後方に延伸させて設けた肘当て部２２とを有し、この肘当て部２２に背凭れ３を装着するようにしているので、肘当て部２２に背凭れ３からの荷重を受けさせ、この背凭れ支持フレーム２の基端すなわち椅子本体１との接合部位を支点として、この背凭れ支持フレーム２を弾性変形させるようにして、簡単な構成でこのような効果を好適に得ることができる。
【００３２】
加えて、前記椅子本体１が、床面から前上方に延伸する左右１対の後脚１１、１１と、前記後脚１１、１１の上端から前方に延伸させて設けてなる側フレーム１２、１２と、前記側フレーム１２、１２の前端に接続する前脚１５とを具備するとともに、左右両側の前記後脚１１、１１から前記背凭れ支持フレーム２、２を起立させているので、４本の脚を有するこのような椅子であっても背凭れ３の後傾動作の際に背凭れ３と座４とを一体的に移動させる構成を実現できる。
【００３３】
特に本実施形態では、前記椅子本体１の後脚１１と、前記背凭れ支持フレーム２とを後フレーム部材Ｆ２として一体に形成しているので、背凭れ３の後傾動作の際に背凭れ３と座４とを一体的に移動させる構成を、少ない部品点数で実現し、さらにこのような椅子Ｃの剛性を確保できる。
【００３４】
さらに、前記座４の前端部を椅子本体１に載置可能であるとともに、座４の該載置部位より後方の部位と椅子本体１との間に隙間を設けているので、背凭れ３の後傾に連動する座４の上下動の範囲を大きくとることができ、このような椅子Ｃの座り心地をさらによくすることができる。
【００３５】
また、前記椅子本体１の側フレーム１２が、後下方から前上方に向かう傾斜を有するとともに、前記座４を前記左右の側フレーム１２、１２の前端部間に横架させて設けた前横架材１４に載置させるようにしているので、座４をより安定して椅子本体２に支持させることができる。
【００３６】
加えて、座４を前横架材１４に載置した状態で座４を前後方向に移動可能であるので、背凭れ３の後傾動作に連動させて、座４の後端部を下降させつつ座４を後方にスライドさせる態様を実現でき、このような椅子Ｃの座り心地をさらに向上させることができる。
【００３７】
そして、前記座４が、座面４ａを有する座本体４１と、この座本体４１の後端の左右隅部から起立させているとともに先端を前記背凭れ４の下端に枢着している左右一対の接合部４２とを具備するので、背凭れ面３ａと座面４ａとの間の角度を背凭れ３の後傾運動の際に変化させることができるともに、座４が使用位置Ｕと収納位置Ｓとの間で移動可能であるのでこの椅子Ｃの水平スタッキングを行うこともできる。
【００３８】
なお、本発明は以上に述べた実施形態に限られない。
【００３９】
例えば、座は必ずしも前後方向に移動可能である必要はない。
【００４０】
また、座は、前記椅子本体の前横架材に支持させる必要はなく、左右両側縁部をそれぞれ側フレームに支持させるようにしてもよい。また、座を椅子本体に載置させる部位は、座の前端近傍にかげらず、座の前部であって奥行き方向中央寄りの部分であってもよい。
【００４１】
さらに、座の背凭れに対する支持態様は上述した実施形態のように座の左右両端部に設けた接合部のみを背凭れに枢着する態様に限らず、背凭れと座との間に幅方向略全域に亘る枢着軸を設けるようにしてもよい。
【００４２】
一方、背凭れ支持フレームは必ずしも後脚と一体である必要はなく、例えば椅子本体の側フレームに別途溶接等の方法で固着するようにしてもよい。
【００４３】
加えて、椅子本体は、上述した実施形態のような前脚及び後脚をそれぞれ左右１対有する態様に限らず、例えば、床面から起立し脚羽根及び脚支柱を有する脚及びこの脚の上方に設けられる基材を有する椅子本体の構成を採用してもよい。
【００４４】
そして、背凭れ支持フレームは、肘当て部を有する必要はなく、背凭れの高さ方向中間部より上方の左右両側縁を外方から支持するものであってもよい。この場合は、背凭れの下端部はこの背凭れ支持フレームから離間させ、背凭れの下端に座を別途吊持させるようにすればよい。
【００４５】
その他、本発明の趣旨を逸脱しない範囲で種々変形が可能である。
【図面の簡単な説明】
【００４６】
【図１】本発明の一実施形態に係る椅子の座を使用位置に配した状態の全体斜視図。
【図２】同実施形態に係る椅子の座を起立位置に配した状態の全体斜視図。
【図３】同実施形態に係る椅子の側面図。
【図４】同実施形態に係る椅子の分解斜視図。
【図５】同実施形態に係る椅子本体及び背凭れ支持フレームを前斜め上方から見た状態を示す図。
【図６】同実施形態に係る椅子を水平スタックさせる態様を示す側面図。
【図７】同実施形態に係る椅子の背凭れ支持フレーム、背凭れ、及び座の動作を示す図。
【図８】同実施形態に係る椅子の要部の中央側断面図。
【符号の説明】
【００４７】
Ｃ…椅子
１…椅子本体
２…背凭れ支持フレーム
３…背凭れ
４…座
【図１】
2008113937.tif 000003
【図２】
2008113937.tif 000004
【図３】
2008113937.tif 000005
【図４】
2008113937.tif 000006
【図５】
2008113937.tif 000007
【図６】
2008113937.tif 000008
【図７】
2008113937.tif 000009
【図８】
2008113937.tif 000010